(57)【要約】【課題】ラジエーターとコンデンサーとを冷却するファンを制御するファン制御装置において、空調用冷媒の冷却不足を抑えることが可能なファン制御装置を提供する。【解決手段】ファン制御装置２０の主制御部２２は、冷却液温度Ｔｃ、外気温度Ｔａ、車速Ｖを入力部２１を通じて取得するとともに、エンジン１１の出力軸１１ａに電子制御式のファンクラッチ１８を介して接続されるファン１９の回転を制御する。主制御部２２は、ファン１９を回転させる条件の１つとして、冷却液温度Ｔｃがサーモスタット１４の開弁温度Ｔｖｔｈ以下であり、且つ、外気温度Ｔａが設定温度Ｔａｔｈ以上であり、且つ、車速Ｖが設定速度Ｖｔｈ以下であること、を有する。【選択図】図１
2014125985.tif 000002
【特許請求の範囲】
【請求項１】
エンジンを冷却する冷却液がラジエーターに流入しているか否かに関する情報と、車内温度に関する温度と、車速とを取得する取得部と、
前記取得部が取得した情報を用いて、前記エンジンの出力軸に電子制御式のファンクラッチを介して接続されるファンの回転を制御する制御部と、を備え、
前記ファンは、前記冷却液を冷却するラジエーターと空調用冷媒を冷却するコンデンサーとに外気を送るものであり、
前記制御部は、前記ファンを回転させる条件として、
前記ラジエーターに前記冷却液が流入していないこと、且つ、
前記車内温度に関する温度が設定温度以上であること、且つ、
前記車速が設定速度以下であること、
を有するファン制御装置。
【請求項２】
前記取得部は、前記冷却液の温度を取得し、
前記制御部は、前記冷却液の温度と、開弁状態にて前記ラジエーターに対する前記冷却液の流入を許可するサーモスタットの開弁温度とを比較し、前記冷却液の温度が前記開弁温度以上であるとき、前記ラジエーターに前記冷却液が流入していないと判断する
請求項１に記載のファン制御装置。
【請求項３】
前記車内温度に関する情報が外気温度である
請求項１または２に記載のファン制御装置。
【請求項４】
前記設定速度が０ｋｍ／ｈである
請求項１〜３のいずれか一項に記載のファン制御装置。
【請求項５】
前記制御部は、前記条件が成立すると前記車速が前記設定速度を超えるまで当該条件が成立しているものとして前記ファンを回転させる
請求項１〜４のいずれか一項に記載のファン制御装置。
【発明の詳細な説明】
【技術分野】
【０００１】
本開示の技術は、エンジンの出力軸に接続され、ラジエーターとコンデンサーとに外気を送るファンの回転を制御するファン制御装置に関する。
【背景技術】
【０００２】
従来から、車両用のエンジンには、エンジンを冷却する冷却液が循環するラジエーターに対して外気を送るファンが設けられている。このファンは、例えば特許文献１のように、エンジンの出力軸に電子制御式のファンクラッチを介して接続されており、エンジンの運転状態に関する各種情報に応じて出力軸との接続状態が制御される。ファンの回転速度は、冷却液の冷却が必要とされる運転状態ほど出力軸の回転速度に近くなるように制御される。
【先行技術文献】
【特許文献】
【０００３】
【特許文献１】特開２００５−２１４１５５号公報
【発明の概要】
【発明が解決しようとする課題】
【０００４】
ところで、近年では、空調用冷媒を冷却するコンデンサーをラジエーターの前方に配置することによって、１つのファンでラジエーターとコンデンサーとを冷却する車両も普及している。こうした車両に上記ファンが適用されると、エンジンの冷間始動直後に冷房がＯＮ状態に操作されたとしても、空調用冷媒の冷却不足によって十分な冷房性能が得られにくい。
【０００５】
本開示の技術は、ラジエーターとコンデンサーとを冷却するファンを制御するファン制御装置において、空調用冷媒の冷却不足を抑えることが可能なファン制御装置を提供することを目的とする。
【課題を解決するための手段】
【０００６】
上記課題を解決するファン制御装置は、エンジンを冷却する冷却液がラジエーターに流入しているか否かに関する情報と、車内温度に関する温度と、車速とを取得する取得部と、前記取得部が取得した情報を用いて、前記エンジンの出力軸に電子制御式のファンクラッチを介して接続されるファンの回転を制御する制御部と、を備え、前記ファンは、前記冷却液を冷却するラジエーターと空調用冷媒を冷却するコンデンサーとに外気を送るものであり、前記制御部は、前記ファンを回転させる条件として、前記ラジエーターに前記冷却液が流入していないこと、且つ、前記車内温度に関する温度が設定温度以上であること、且つ、前記車速が設定速度以下であることを有する。
【０００７】
この構成によれば、ラジエーターに冷却液が流入せず、且つ、車速が設定速度以下であるエンジンの冷間始動時であっても、車内温度に関する温度が設定温度以上であればファンが回転してコンデンサーに外気が送られる。その結果、エンジンの冷間始動直後であっても空調用冷媒の冷却不足が抑えられる。
【０００８】
このファン制御装置では、前記取得部は、前記冷却液の温度を取得し、前記制御部は、前記冷却液の温度と、開弁状態にて前記ラジエーターに対する前記冷却液の流入を許可するサーモスタットの開弁温度とを比較し、前記冷却液の温度が前記開弁温度以上であるとき、前記ラジエーターに前記冷却液が流入していないと判断することが好ましい。
【０００９】
この構成によれば、車内温度に関する温度が設定温度以上であり且つ車速が設定速度以下であれば、冷却液の温度がサーモスタットの開弁温度を超えない限りファンが回転する。その結果、エンジンの暖機状態においても空調用冷媒の冷却不足が抑えられる。
【００１０】
このファン制御装置では、前記車内温度に関する温度が外気温度であることが好ましい。
車内温度が同じであっても、外気温度が高いほど乗車直後に冷房が使用される可能性が高くなり、外気温度が低いほど乗車直後に冷房が使用される可能性が低くなる。すなわち、冷房の使用頻度を予測するうえでは、車内温度よりも外気温度を指標とすることが好ましい。上記構成によれば、外気温度を一つの指標としてファンが回転することから、ファンの回転に要したエンジン出力が有効的に利用されやすくなる。
【００１１】
このファン制御装置では、前記設定速度が０ｋｍ／ｈであることが好ましい。
この構成によれば、車両が停車状態にあって、コンデンサーが走行風によって冷却されないときにファンが駆動される。その結果、空調用冷媒の冷却不足を抑えるために車両の走行中にもファンが駆動される場合に比べて、ファンの駆動に起因した燃料消費量の増加が抑えられる。
【００１２】
このファン制御装置では、前記制御部は、前記条件が成立すると前記車速が前記設定速度を超えるまで当該条件が成立しているものとして前記ファンを回転させることが好ましい。
【００１３】
この構成によれば、条件の成立後は、車速が設定速度を超えるまでファンが回転する。すなわち、少なくともエンジンが始動してから車両が発進するまでの期間はファンが回転する。その結果、当該期間における空調用冷媒の冷却不足が高い確率の下で抑えられる。
【図面の簡単な説明】
【００１４】
【図１】本開示におけるファン制御装置を制御対象となるファンを備えたエンジンとともに機能的に示す機能ブロック図。
【図２】ファン制御装置が実行するファン駆動処理の処理手順を示すフローチャート。
【発明を実施するための形態】
【００１５】
以下、図１及び図２を参照して、本開示におけるファン制御装置の一実施形態について説明する。
図１に示されるように、エンジン１１とラジエーター１２は、エンジン１１を冷却する冷却液が流れる流路１３によって互いに接続されている。流路１３におけるラジエーター１２の上流側には、冷却液の温度である冷却液温度Ｔｃが開弁温度Ｔｖｔｈを超えている場合に開弁するサーモスタット１４が配設されている。また、流路１３におけるラジエーター１２の下流側には、エンジン１１に冷却液を供給するとともに、バイパス流路１５によってサーモスタット１４に接続されたポンプ１６が配設されている。冷却液は、ポンプ１６によってエンジン１１へと供給されて該エンジン１１の冷却を行なう。そして、エンジン１１の冷却にともなって温度上昇したのち、サーモスタット１４へと流入する。
【００１６】
サーモスタット１４に流入した冷却液は、冷却液温度Ｔｃが開弁温度Ｔｖｔｈ以下である場合には、サーモスタット１４が開弁することなく、バイパス流路１５を通じてポンプ１６へと送られる。一方、冷却液温度Ｔｃが開弁温度Ｔｖｔｈを超えている場合には、サーモスタット１４が開弁し、ラジエーター１２を通じてポンプ１６へと送られる。なお、サーモスタット１４の開弁温度Ｔｖｔｈは、エンジン１１の暖機が完了したと推定される温度であって、本実施形態では、８２℃に設定されている。
【００１７】
ラジエーター１２に対するエンジン１１の反対側には、図示されないコンプレッサーによって圧縮された空調用冷媒を冷却するコンデンサー１７が配設されている。一方、ラジエーター１２に対するエンジン１１側には、電子制御式のファンクラッチ１８を介してエンジン１１の出力軸１１ａに接続されたファン１９が配設されている。ファンクラッチ１８の接続と切断とは、ファン制御装置２０（以下、単に制御装置２０という）によってＰＷＭ制御（Ｐｕｌｓｅ  Ｗｉｄｔｈ  Ｍｏｄｕｌａｔｉｏｎ：パルス幅変調制御）される。そして、ファン１９とエンジン１１の出力軸１１ａとが接続されている間、出力軸１１ａの回転力がファン１９に伝達されて出力軸１１ａとともにファン１９が回転する。ファン１９の回転によって、コンデンサー１７に外気が送られるとともに、コンデンサー１７を通過した外気がラジエーター１２に送られる。
【００１８】
制御装置２０は、図示されないＣＰＵ、各種制御プログラムや各種データが格納されたＲＯＭ、各種データが一時的に格納されるＲＡＭ等によって構成され、ＲＯＭに格納された各種制御プログラムに基づいて各種処理を実行する。
【００１９】
制御装置２０の入力部２１には、冷却液温度センサー３１から冷却液温度Ｔｃを示す信号、外気温度センサー３２から外気温度Ｔａを示す信号、車速センサー３３から車両の車速Ｖを示す信号、これらの信号が所定の制御周期で入力される。また、入力部２１には、燃料噴射制御部３４から燃料噴射量Ｑｆを示す信号、アクセル開度センサー３５からアクセル開度Ａｃを示す信号、エンジン回転速度センサー３６からエンジン回転速度Ｎｅを示す信号、これらの信号が所定の制御周期で入力される。制御装置２０は、これらの各信号に基づいて車両の運転状態を把握し、その把握した運転状態に応じてファン１９の回転を制御するファン駆動処理を実行する。
【００２０】
制御装置２０の主制御部２２は、取得部として、入力部２１に通じて上述した各種情報を取得する。主制御部２２は、冷却液温度Ｔｃ、外気温度Ｔａ、車速Ｖの各値に基づく所定条件が成立するとき、車両の運転状態が空調用冷媒の冷却を優先させる空調優先状態にあると判断する。そして、主制御部２２は、空調優先状態に応じた回転速度にファン１９を制御する空調優先処理を実行する。
【００２１】
一方、主制御部２２は、上記所定条件が不成立のとき、車両の運転状態が燃費を優先させる燃費優先状態にあると判断する。そして、主制御部２２は、燃費優先状態に応じた回転速度にファン１９を制御する燃費優先処理を実行する。なお、燃費優先処理において主制御部２２は、入力部２１を通じて取得した冷却液温度Ｔｃ、車速Ｖ、燃料噴射量Ｑｆ、アクセル開度Ａｃ、エンジン回転速度Ｎｅに基づいて、車両の運転状態を下記に示す３つの運転状態から選択したうえでファンクラッチ１８を制御する。
・冷却液の温度上昇が相対的に小さい運転状態である通常状態
・冷却液の温度上昇が相対的に大きい運転状態である高負荷状態
・発進あるいは加速している運転状態である発進加速状態
【００２２】
制御装置２０の記憶部２３には、エンジン回転速度Ｎｅに対するファン回転速度ＦＳの比率である駆動比率Ｒが規定された制御マップが各運転状態に対して各別に記憶されている。
【００２３】
空調優先状態に対応する空調優先マップ２４には、コンデンサー１７の冷却を優先させるべく、ファン１９と出力軸１１ａとを接続状態に維持することを示す駆動比率Ｒ（＝１００％）が規定されている。
【００２４】
通常状態に対応する通常マップ２５及び高負荷状態に対応する高負荷マップ２６には、冷却液温度Ｔｃ毎に駆動比率Ｒが規定されている。通常マップ２５及び高負荷マップ２６には、冷却液温度Ｔｃがサーモスタット１４の開弁温度Ｔｖｔｈ未満の範囲に、ファン１９と出力軸１１ａとを切断状態に維持することを示す駆動比率Ｒ（＝０％）が規定されている。通常マップ２５及び高負荷マップ２６には、冷却液温度Ｔｃが開弁温度Ｔｖｔｈ以上の範囲に、冷却液温度Ｔｃの上昇とともに段階的に高くなる駆動比率Ｒが規定されている。高負荷マップ２６には、通常マップ２５に規定された駆動比率Ｒ以上の駆動比率Ｒが同じ冷却液温度Ｔｃに対して規定されている。
【００２５】
発進加速状態に対応する発進加速マップ２７には、車両の加速を優先させるべく、ファン１９と出力軸１１ａとを切断状態に維持することを示す駆動比率Ｒ（＝０％）が規定されている。
【００２６】
主制御部２２は、車両の運転状態に応じた制御マップを記憶部２３から選択し、その選択された制御マップに基づいて駆動比率Ｒを選択する。そして、主制御部２２は、該主制御部２２の選択した駆動比率Ｒとエンジン回転速度Ｎｅとに基づいて、ファン回転速度ＦＳの目標値である目標回転速度ＴＦＳを算出し、該算出した目標回転速度ＴＦＳをＰＷＭ制御部２８に出力する。
【００２７】
ＰＷＭ制御部２８には、上記目標回転速度ＴＦＳの他、ファン回転速度センサー３７からファン１９の現在の回転速度を示す信号が所定の制御周期で入力される。ＰＷＭ制御部２８は、ファン１９の現在の回転速度と目標回転速度ＴＦＳとに基づくフィードバック制御によりデューティ比を演算し、該演算したデューティ比に基づく駆動信号をファンクラッチ１８に出力する。
【００２８】
図２を参照して、制御装置２０の実行するファン駆動処理の処理手順について説明する。なお、このファン駆動処理は繰り返し実行される。
まず、ステップＳ１１において、主制御部２２は、冷却液温度Ｔｃ、外気温度Ｔａ、車速Ｖ、燃料噴射量Ｑｆ、アクセル開度Ａｃ、エンジン回転速度Ｎｅを含んだ各種情報を入力部２１を通じて取得する。
【００２９】
次のステップＳ１２において、主制御部２２は、サーモスタット１４の開弁温度Ｔｖｔｈ、例えば８２℃と冷却液温度Ｔｃとを比較して、冷却液温度Ｔｃが開弁温度Ｔｖｔｈ以下であるか否かを判断する。
【００３０】
冷却液温度Ｔｃが開弁温度Ｔｖｔｈ以下であった場合（ステップＳ１１：ＹＥＳ）、主制御部２２は、予め設定された設定温度Ｔａｔｈ、例えば２０℃と外気温度Ｔａとを比較して、外気温度Ｔａが設定温度Ｔａｔｈ以上であるか否かを判断する（ステップＳ１３）。
【００３１】
外気温度Ｔａが設定温度Ｔａｔｈ以上であった場合（ステップＳ１３：ＹＥＳ）、主制御部２２は、予め設定された設定速度Ｖｔｈ、例えば０ｋｍ／ｈと車速Ｖとを比較して、車速Ｖが設定速度Ｖｔｈ以下であるか否かを判断する（ステップＳ１４）。
【００３２】
車速Ｖが設定速度Ｖｔｈ以下であった場合（ステップＳ１４：ＹＥＳ）、主制御部２２は、車両の運転状態が空調優先状態にあるものと判断して、空調優先処理を実行する（ステップＳ１５）。すなわち、制御装置２０は、下記に示す条件１，２，３が満たされるとき、空調優先処理を実行する。
（条件１）ラジエーター１２に冷却液が流入していないこと。
（条件２）外気温度Ｔａが設定温度Ｔａｔｈ以上であること。
（条件３）車速Ｖが設定速度Ｖｔｈ以下であること。
【００３３】
ステップＳ１５の空調優先処理において、主制御部２２は、制御マップとして空調優先マップ２４を選択することで、ファン１９と出力軸１１ａとを接続状態に維持する駆動比率Ｒ＝１００％でファンクラッチ１８を駆動する。
【００３４】
そして、次のステップＳ１６において、主制御部２２は、車速Ｖを含む各種情報を入力部２１を通じて再び取得してステップＳ１４の処理に移行する。すなわち、主制御部２２は、ステップＳ１６の処理において設定速度Ｖｔｈを超える車速Ｖが取得されるまで空調優先処理を実行し続ける。
【００３５】
一方、冷却液温度Ｔｃが開弁温度Ｔｖｔｈを超えていた場合（ステップＳ１２：ＮＯ）、外気温度Ｔａが設定温度Ｔａｔｈ未満であった場合（ステップＳ１３：ＮＯ）、車速Ｖが設定速度Ｖｔｈを超えていた場合（ステップＳ１４：ＮＯ）、主制御部２２は、ステップＳ１７の処理を実行する。ステップＳ１７において、主制御部２２は、車両の運転状態が燃費優先状態にあるものと判断して、燃費優先処理を実行する。
【００３６】
ステップＳ１７の燃費優先処理において、主制御部２２は、最新の各種情報に基づいて車両の運転状態を通常状態、高負荷状態、発進加速状態の中から選択する。そして、主制御部２２は、その選択された運転状態に応じた制御マップと冷却液温度Ｔｃとに基づいて選択される駆動比率Ｒでファンクラッチ１８を駆動し、一連の処理を終了する。
【００３７】
次に、上述したファン制御装置２０の作用について説明する。
上述した制御装置２０は、上記条件１〜３が満たされるとファン１９を駆動してコンデンサー１７に外気を送る。すなわち、制御装置２０は、通常マップ２５や高負荷マップ２６ではファン１９が駆動されない条件１が満たされていたとしても、条件２及び条件３が満たされていればファン１９を駆動する。そのため、エンジン１１の始動直後、特にエンジン１１の冷間始動直後において冷房が使用されたとしても、外気温度Ｔａが設定温度Ｔａｔｈ以上であれば、空調用冷媒の冷却不足が抑えられることで冷房性能の低下が抑えられる。
【００３８】
しかも、エアコンを制御対象とする制御装置は、制御装置２０とは異なる制御装置であることが一般的である。そして、制御装置２０は、上記条件１〜３が成立したときにファン１９を回転させる。すなわち、制御装置２０は、エアコンを制御対象とする制御装置から独立してファン１９を駆動する。そのため、エアコンを制御対象とする制御装置と制御装置２０とを電気的に接続する必要がないことから、空調用冷媒の冷却不足を抑えるうえでファンの制御系が複雑になることもない。
【００３９】
また、制御装置２０では、冷却液温度Ｔｃがサーモスタット１４の開弁温度Ｔｖｔｈ以下であってもファン１９が回転することから、エンジン１１の暖機状態においても空調用冷媒の冷却不足が抑えられる。
【００４０】
ここで、条件２において、外気温度Ｔａに代えて、車内温度Ｔｉに関して条件付けを行うことも可能である。しかしながら、車内温度Ｔｉが同じであっても、外気温度Ｔａが高いほど乗車直後に冷房が使用される可能性が高くなり、外気温度Ｔａが低いほど乗車直後に冷房が使用される可能性が低くなる。そのため、冷房の使用頻度を予測するうえでは、車内温度Ｔｉよりも外気温度Ｔａを指標とすることが好ましい。すなわち、空調優先処理の実行条件の一つとして外気温度Ｔａが設定されることによって、ファン１９の回転に要したエンジン出力が有効的に利用されやすくなる。
【００４１】
ところで、車両が走行しているとき、コンデンサー１７は走行風によって冷却される。そのため、たとえ条件１及び２が満たされていたとしても走行風による冷却のみで空調用冷媒の冷却不足が十分に抑えられる場合もある。こうした場合にファン１９を回転させたとしても、ファン１９を回転させる分だけ燃料消費量が増加する。
【００４２】
この点、制御装置２０では、設定速度Ｖｔｈが０ｋｍ／ｈであることから、コンデンサー１７が走行風による冷却を受けないときにのみファン１９が駆動される。その結果、空調用冷媒の冷却不足を抑えつつ、ファン１９の駆動にともなう燃料消費量の増加を抑えることができる。
【００４３】
また、ファン駆動処理では、各種情報の再取得（ステップＳ１６）にて設定速度Ｖｔｈを超える車速Ｖが取得されない限り、ファン１９と出力軸１１ａとが接続され続ける。すなわち、条件１〜３が満たされれば、少なくともエンジン１１の始動から車両が発進するまでの期間は、ファン１９が回転する。そのため、当該期間における空調用冷媒の冷却不足が高い確率の下で抑えられる。
【００４４】
以上説明したように、本実施形態のファン制御装置２０によれば、以下に列挙する効果が得られるようになる。
（１）条件１〜３の成立時にファン１９が駆動されることから、エンジン１１の冷間始動時であっても空調用冷媒の冷却不足が抑えられる。
【００４５】
（２）制御装置２０は、エアコンを制御対象とする制御装置から独立してファン１９を駆動する。そのため、空調用冷媒の冷却不足を抑えるうえでファンの制御系が複雑になることもない。
【００４６】
（３）冷却液温度Ｔｃが開弁温度Ｔｖｔｈ以下であってもファン１９が回転することから、エンジン１１の暖機状態においても空調用冷媒の冷却不足が抑えられる。
（４）空調優先処理が実行される条件の１つに外気温度Ｔａが設定されているため、空調用冷媒の冷却不足を抑えるうえで、ファン１９の回転に要したエンジン出力が有効的に利用されやすくなる。
【００４７】
（５）設定速度Ｖｔｈが０ｋｍ／ｈであることから、空調用冷媒の冷却不足を抑えつつファン１９の駆動にともなう燃料消費量の増加を抑えることができる。
（６）エンジン１１の始動から車両の発進までの期間における空調用冷媒の冷却不足が高い確率の下で抑えられる。
【００４８】
（７）空調優先処理では、ファン１９と出力軸１１ａとが接続され続けることから、空調用冷媒の冷却不足が効率的に抑えられる。
なお、上記実施形態は、以下のように適宜変更して実施することもできる。
・ファン駆動処理では、各種情報が再取得される処理（ステップＳ１６）の後、ステップＳ１２の処理に移行してもよい。すなわち、再取得された各種情報が条件１〜３の全てを満たしているときに空調優先処理が継続されるようにしてもよい。
【００４９】
・空調優先処理では、駆動比率Ｒ＝１００％でファン１９と出力軸１１ａとが接続される態様に限らず、その時々の状況に応じた駆動比率Ｒでファン１９と出力軸１１ａとが接続されてもよい。例えば、互いに異なる駆動比率Ｒが規定された空調優先処理用の制御マップを記憶部２３に記憶させておき、それらの制御マップが外気温度Ｔａに応じて選択される構成であってもよい。こうした構成によれば、空調用冷媒の冷却不足を抑えるうえでのファン１９の過回転が抑えられる。すなわち、ファン１９の回転による燃料消費量の増加が抑えられる。
【００５０】
・条件３において、設定速度Ｖｔｈは、０ｋｍ／ｈのように停車状態と見なされる速度に限られるものではなく、例えば５ｋｍ／ｈや１０ｋｍ／ｈのように始動直後の車速であってもよい。
・また、設定速度Ｖｔｈは、走行風によって空調用冷媒の冷却不足が解消される速度であることが好ましい。そのため、設定速度Ｖｔｈは、例えば、外気温度Ｔａ毎に設定速度Ｖｔｈが対応付けられた制御マップを記憶部２３に記憶させておくことによって外気温度Ｔａに応じて選択される構成であってもよい。
【００５１】
・車内温度に関する温度は、外気温度Ｔａに限らず、車内温度Ｔｉであってもよいし、外気温度Ｔａ及び車内温度Ｔｉに基づく温度であってもよい。
【００５２】
・条件１は、ラジエーター１２に冷却液が流入していないことであればよく、その検知方法は冷却液温度Ｔｃに限られるものではない。例えば、電子制御式のサーモスタットを用いた場合には、該サーモスタットに対する開閉信号に基づいて、ラジエーター１２に対する冷却液の流入が判断されてもよい。また例えば、ラジエーター１２に対する冷却液の流量を計測する流量センサーが搭載されている場合には、該流量センサーの検出信号に基づいて、ラジエーター１２に対する冷却液の流入が判断されてもよい。
【符号の説明】
【００５３】
１１…エンジン、１１ａ…出力軸、１２…ラジエーター、１３…流路、１４…サーモスタット、１５…バイパス流路、１６…ポンプ、１７…コンデンサー、１８…ファンクラッチ、１９…ファン、２０…ファン制御装置、２１…入力部、２２…主制御部、２３…記憶部、２４…空調優先マップ、２５…マップ、２６…高負荷マップ、２７…発進加速マップ、２８…ＰＷＭ制御部、３１…冷却液温度センサー、３２…外気温度センサー、３３…車速センサー、３４…燃料噴射制御部、３５…アクセル開度センサー、３６…エンジン回転速度センサー、３７…ファン回転速度センサー。
【図１】
2014125985.tif 000003
【図２】
2014125985.tif 000004